(57)【要約】【課題】一旦剥がすと通常の手段では貼り戻すことのできない構成にて書籍が見開きできないようにし、書籍に対する不正な見開きを抑止する。【解決手段】互いに剥離可能に接合して所定貼り合わせ圧力未満で再接着不能な接着剤層８を封緘テープ５と書籍１の表裏表紙３、４の小口側に設けて、封緘テープ５を表表紙３の小口側辺部から裏表紙４の小口側辺部に渡し、接着剤層８の接合により封緘テープ５と表裏表紙３、４とを分離可能に綴じ合わせて、不正な見開きを抑止する。【選択図】      図２
2004351767.tif 000002
【特許請求の範囲】
【請求項１】
本や冊子などの書籍であって、表表紙の小口側辺部から裏表紙の小口側辺部に封緘テープが渡され、前記封緘テープと前記両小口側辺部との対向面部それぞれに、互いに剥離可能に接合して所定貼り合わせ圧力未満で再接着不能な接着剤層が施されて、この対向面部の接着剤層の接合により前記封緘テープと表裏表紙とが分離可能に綴じ合わされていることを特徴とする書籍。
【発明の詳細な説明】
【０００１】
【発明の属する技術分野】
本発明は、本や冊子などの書籍に関するものである。
【０００２】
【従来の技術】
従来、書籍、特に頁数の小さい冊子などを封筒を用いずに郵送できる形態とするために、その書籍の表表紙と裏表紙とに渡って接着テーブを貼り付ける技術が提案されている（例えば、特許文献１参照）。また、このような書籍を受け取った側で書籍の表紙に損傷を生じさせることがないように、前記接着テープの粘着剤を弱接着力として再剥離性を良好にする技術が提案されている（例えば、特許文献２参照）。
【０００３】
【特許文献１】
特許第２６１３１５９号公報（段落番号０００４、図１、図２）
【特許文献２】
特開２０００−２３９６２５号公報（段落番号００１１）
【０００４】
【発明が解決しようとする課題】
ところで、一般書店で陳列販売される書籍中には写真集などのような豪華装丁本も用意されているが、不特定多数の一般客が閲覧することで装丁が損なわれ易くなるため、通常は透明袋に入れて陳列することが多い、また、未成年者が閲覧するには好ましくない内容の書籍もあり、この場合も同様に透明袋に入れて陳列販売されることが多い。
このように書店内での閲覧を制限したい場合には上述のように透明袋に入れているが、その作業自体が手間を要するものであるため、上記接着テープにて書籍の小口側を止めて開かないようにすることが手間の軽減として考えられる。
しかしながら、接着テープを一旦剥がしたのちに再び貼り付けることができるため、出版社や書店側の意に反した不正な見開きを防止し難いという問題がある。
そこで本発明は上記事情に鑑み、一旦剥がすと通常の手段では貼り戻すことのできない構成にて書籍が見開きできないようにすることを課題とし、書籍に対する不正な見開きを抑止することを目的とするものである。
【０００５】
【課題を解決するための手段】
本発明は上記課題を考慮してなされたもので、本や冊子などの書籍であって、表表紙の小口側辺部から裏表紙の小口側辺部に封緘テープが渡され、前記封緘テープと前記両小口側辺部との対向面部それぞれに、互いに剥離可能に接合して所定貼り合わせ圧力未満で再接着不能な接着剤層が施されて、この対向面部の接着剤層の接合により前記封緘テープと表裏表紙とが分離可能に綴じ合わされていることを特徴とする書籍を提供して、上記課題を解消するものである。
【０００６】
【発明の実施の形態】
つぎに本発明を図１と図２に示す実施の形態に基づいて詳細に説明する。
図中１は書籍で、該書籍１は複数の折丁を背糊にて綴じ合せた本文２を表表紙３と裏表紙４との間に配したものである。そして、図示されているように、書籍１の表表紙３の表面における背側とは反対の小口側の辺部から裏表紙４の表面における背側とは反対側の小口側の辺部にかけて封緘テープ５が渡され、この封緘テープ５の端部が表表紙３と裏表紙４とに綴じ合わされている。
【０００７】
表表紙３と裏表紙４に対して上記封緘テープ５が綴じ合わされている部分において、図２に示すように、封緘テープ５側の対向面部６と表表紙３および裏表紙４の対向面部７それぞれに接着剤層８が設けられている。この接着剤層８は、重ね合わせた状態で所定以上の貼り合わせ圧力を加えることで互いに剥離可能に接合し、一旦剥がしてから単に重ね合わせても再接着不能となる接着剤を塗布して形成されたものであり、各接着剤層８の接着剤は所定貼り合わせ圧力に達しなければ再接着しないように調整されていて、重ね合わせて人の力で押さえ付ける程度では貼り合わせできないものとなっている。
このように封緘テープ５の一端部が表表紙３の小口側の辺部に分離可能にして綴じ合わされ、また封緘テープ５の他端部が裏表紙４の小口側の辺部に分離可能にして綴じ合わされており、封緘テープ５を取り外さない限り書籍１を見開くことができず、また、取り外した後に押さえ付けても元のようにこの封緘テープを表表紙３から裏表紙４にかけて止め付けることができず、一旦取り外せば書籍を見開いた行為があったことを容易に判断できる。勿論、封緘テープ５の端部を少しめくった程度でも、その捲られた部分は元の綴じ合わせ状態には戻ることがなく、不正な行為を抑止する効果がある。
【０００８】
上記接着剤層８を形成する接着剤は、通常状態では接着することがなく、互いに重ね合わせして所定の貼り合わせ圧力以上の圧力を加えることにより接着し、かつ必要時に剥離しうる層を形成するものであって、接着剤基剤として、例えば、メタクリル酸メチルグラフト共重合天然ゴム系ラテックス固形分１００質量部に対してスチレン・アクリル共重合体エマルジョンをその固形分が５〜５０質量部となるように配合した混合物を用い、これに当該接着剤基剤１００質量部に対し非親和性を示す微粒状充填剤を３０〜１００質量部配合してなるものが利用できる。
上記メタクリル酸メチルグラフト共重合天然ゴム系ラテックスは、メタクリル酸メチルでグラフト重合した天然ゴム系ラテックス（天然ゴム１００重量部に対してメタクリル酸メチル１０〜４０質量部程度グラフト化したもの）であり、従来、天然ゴム系ラテックスの基剤として慣用されている天然ゴムラテックスを用いることができる。
また、上記スチレン・アクリル共重合体エマルジョンは、一般に含浸、塗料、紙加工などの成分として慣用されている合成ラテックスであり、スチレン・アクリル共重合体を水性溶媒中に分散させたエマルジョンである。この際、粒子を分散安定化させるためには乳化剤が必要であるが、この乳化剤としては、一般にロジンセッケン、ナフタレンスルホン酸塩、脂肪酸セッケン、アルキルベンゼンスルホン酸塩などのアニオン系界面活性剤が用いられる。
さらに、上記接着剤基剤に対して非親和性を示す微粒子充填剤としては、接着剤基剤との親和力が小さいものであって、接着層が透明性を阻害しないようにする必要から、粒子形状が規則的に整ったものを用いるのがよい。このようなものとしては、例えば、各種デンプン系、合成ゼオライト、微球状アクリル樹脂、微球状メタクリル樹脂、微球状ポリエチレン、球状アルミナ、ガラス粉末、シラスバルーン、活性白土などが挙げられる。これらの微粒子充填剤は、単独で用いてもよいし、２種以上組み合わせて用いてもよい。
【０００９】
そして、上記接着剤をグラビアコーター、フレキソ、エアナイフコーター、バーコーターなどの塗布手段により上記封緘テープと表裏表紙との綴じ合わせ部分それぞれに塗布することで接着剤層８が得られる。
このようにして形成した封緘テープ５の対向面部６における接着剤層８と表裏表紙の対向面部７における接着剤層８とを重ね合わせ、所定の貼り合わせ圧力である５００／ｃｍ２以上の圧力を加えることによって封緘テープ５と表裏表紙３、４とが綴じ合わされ、必要時にこの封緘テープ５を取り外すことで見開きできるようにした書籍１が得られる。
【００１０】
なお、上記書籍として複数の折丁を背糊により綴じた本文を表表紙と裏表紙との間に配したものとして示したが、中綴じされた雑誌や冊子であってもよく、限定されるものではない。
【００１１】
【発明の効果】
以上説明知たように本発明の書籍によれば、本や冊子などの書籍であって、表表紙の小口側辺部から裏表紙の小口側辺部に封緘テープが渡され、前記封緘テープと前記両小口側辺部との対向面部それぞれに、互いに剥離可能に接合して所定貼り合わせ圧力未満で再接着不能な接着剤層が施されて、この対向面部の接着剤層の接合により前記封緘テープと表裏表紙とが分離可能に綴じ合わされていることを特徴とするものであり、封緘テープを一旦取り外してから再び表表紙から裏表紙にかけて押さえ付けるようにしてもその封緘テープが表裏表紙に接合せず、開封した行為があったことが容易に判断できる。そして、この封緘テープが表表紙の小口側から裏表紙の小口側に渡る目立ち易い場所に設けているので、閲覧不可の書籍であることを示すことができ、その書籍に対しての不正な見開き行為を抑止する上で格段の効果がある。
【図面の簡単な説明】
【図１】本発明に係る書籍の一例を示す説明図である。
【図２】一例における封緘テープと表紙との貼り合わせ部分を断面で示す説明図である。
【符号の説明】
１…書籍
２…本文
３…表表紙
４…裏表紙
５…封緘テープ
６、７…対向面部
８…接着剤層
【図１】
2004351767.tif 000003
【図２】
2004351767.tif 000004